【手続補正書】
【提出日】平成22年10月13日(2010.10.13)
【手続補正１】
【補正対象書類名】明細書
【補正対象項目名】００１６
【補正方法】変更
【補正の内容】
【００１６】
一実施形態として、前記閾値調整部は、前記試行回数が予め定められた第１の値以上である場合に前記閾値を減少させ、前記試行回数が予め定められた第２の値以下である場合に前記閾値を増加させてもよい。
【手続補正２】
【補正対象書類名】特許請求の範囲
【補正対象項目名】全文
【補正方法】変更
【補正の内容】
【特許請求の範囲】
【請求項１】
外部装置と無線通信を行う無線通信装置であって、
指向特性を変更可能なアンテナと、
前記アンテナの指向特性を示す複数の指向特性パターン、及び電波伝搬環境の状態を示す第１の電波伝搬環境パラメータに応じたスループットの期待値である複数の閾値を記憶する記憶部と、
前記複数の指向特性パターンから選択された指向特性パターンに基づいて、前記アンテナの指向特性を変更するコントローラとを備え、
前記コントローラは、
特定の前記指向特性パターンを用いて前記第１の電波伝搬環境パラメータを測定し、前記記憶部に記憶されている前記複数の閾値のうち、測定した前記第１の電波伝搬環境パラメータに対応する閾値を特定する閾値特定部と、
前記複数の指向特性パターンを順次切り替えて通信を試行し、試行した指向特性パターンにおける前記第１の電波伝搬環境パラメータと異なる第２の電波伝搬環境パラメータを測定し、前記第２の電波伝搬環境パラメータの測定値から算出される現実のスループットが前記閾値を上回る前記指向特性パターンを選択する指向特性パターン選択部と、
前記指向特性パターン選択部によって試行された前記指向特性パターンの数である試行回数に応じて、前記閾値特定部によって特定された前記閾値を変更する閾値調整部とを備える
無線通信装置。
【請求項２】
前記閾値調整部は、前記試行回数が予め定められた第１の値以上である場合に前記閾値を減少させ、前記試行回数が予め定められた第２の値以下である場合に前記閾値を増加させる
請求項１に記載の無線通信装置。
【請求項３】
前記指向特性パターン選択部は、前記指向特性パターンを選択する処理毎に、前記閾値特定部によって測定された前記第１の電波伝搬環境パラメータの測定値と、前記指向特性パターンを選択するまでの前記試行回数とを対応付けて試行実績として前記記憶部に記憶させておき、
前記閾値調整部は、前記記憶部に記憶されている前記試行実績が予め定められた所定の基準に合致する場合に、前記閾値を変更する
請求項１に記載の無線通信装置。
【請求項４】
前記閾値調整部は、前記第１の電波伝搬環境パラメータの測定値が同一である複数の前記試行実績について、前記試行回数が連続して所定の値以下である場合に、前記所定の基準に合致すると判断して前記閾値を増加させる
請求項３に記載の無線通信装置。
【請求項５】
前記指向特性パターン選択部は、全ての前記指向特性パターンのスループットが前記閾値以下である場合に、前記複数の指向特性パターンのうちの最も高いスループットを実現する前記指向特性パターンを選択する
請求項１〜４のいずれか１項に記載の無線通信装置。
【請求項６】
前記第１の電波伝搬環境パラメータは、前記アンテナの受信信号強度である
請求項１〜５のいずれか１項に記載の無線通信装置。
【請求項７】
前記閾値特定部は、前記複数の指向特性パターンのうちの最も指向性の弱い指向特性パターンを用いて前記アンテナの受信信号強度を測定する
請求項６に記載の無線通信装置。
【請求項８】
前記第２の電波伝搬環境パラメータは、前記アンテナで受信されるパケットのパケット誤り率である
請求項１〜７のいずれか１項に記載の無線通信装置。
【請求項９】
前記指向特性パターン選択部は、前記アンテナのＳ／Ｎ比と無線通信の通信速度とに基づいて前記パケット誤り率を算出する
請求項８に記載の無線通信装置。
【請求項１０】
前記コントローラは、電波伝搬環境の変動を常時監視しており、当該電波伝搬環境の変動幅が予め定められた許容範囲を超えたことを契機として、指向特性パターンを選択する処理を開始する
請求項１〜９のいずれか１項に記載の無線通信装置。
【請求項１１】
前記閾値調整部は、前記閾値を増加させる処理と前記閾値を減少させる処理とを所定の回数だけ交互に実施した場合に、前記閾値を変更する処理を所定の期間だけ中止する
請求項１〜１０のいずれか１項に記載の無線通信装置。
【請求項１２】
該無線通信装置は、複数の前記アンテナを備え、
前記指向特性パターンは、前記複数のアンテナそれぞれの指向特性の組み合わせを示す
請求項１〜１１のいずれか１項に記載の無線通信装置。
【請求項１３】
指向特性を変更可能なアンテナと、アンテナの指向特性を示す複数の指向特性パターン、及び電波伝搬環境の状態を示す第１の電波伝搬環境パラメータに応じたスループットの期待値である複数の閾値を記憶する記憶部とを備える無線通信装置が、外部装置と無線通信を行う無線通信方法であって、
特定の前記指向特性パターンを用いて前記第１の電波伝搬環境パラメータを測定し、前記記憶部に記憶されている前記複数の閾値のうち、測定した前記第１の電波伝搬環境パラメータに対応する閾値を特定する閾値特定ステップと、
前記複数の指向特性パターンを順次切り替えて通信を試行し、試行した指向特性パターンにおける前記第１の電波伝搬環境パラメータと異なる第２の電波伝搬環境パラメータを測定し、前記第２の電波伝搬環境パラメータの測定値から算出される現実のスループットが前記閾値を上回る前記指向特性パターンを選択し、選択された前記指向特性パターンで前記アンテナに無線通信を行わせる指向特性パターン選択ステップと、
前記指向特性パターン選択ステップによって試行された前記指向特性パターンの数である試行回数に応じて、前記閾値特定ステップによって特定された前記閾値を変更する閾値調整ステップとを含む
無線通信方法。
【請求項１４】
指向特性を変更可能なアンテナと、アンテナの指向特性を示す複数の指向特性パターン、及び電波伝搬環境の状態を示す第１の電波伝搬環境パラメータに応じたスループットの期待値である複数の閾値を記憶する記憶部とを備えるコンピュータに、外部装置と無線通信を行わせるプログラムであって、
特定の前記指向特性パターンを用いて前記第１の電波伝搬環境パラメータを測定し、前記記憶部に記憶されている前記複数の閾値のうち、測定した前記第１の電波伝搬環境パラメータに対応する閾値を特定する閾値特定ステップと、
前記複数の指向特性パターンを順次切り替えて通信を試行し、試行した指向特性パターンにおける前記第１の電波伝搬環境パラメータと異なる第２の電波伝搬環境パラメータを測定し、前記第２の電波伝搬環境パラメータの測定値から算出される現実のスループットが前記閾値を上回る前記指向特性パターンを選択し、選択された前記指向特性パターンで前記アンテナに無線通信を行わせる指向特性パターン選択ステップと、
前記指向特性パターン選択ステップによって試行された前記指向特性パターンの数である試行回数に応じて、前記閾値特定ステップによって特定された前記閾値を変更する閾値調整ステップとを含む
プログラム。
【請求項１５】
指向特性を変更可能なアンテナと、アンテナの指向特性を示す複数の指向特性パターン、及び電波伝搬環境の状態を示す第１の電波伝搬環境パラメータに応じたスループットの期待値である複数の閾値を記憶する記憶部とを備える無線通信装置に、外部装置と無線通信を行わせる集積回路であって、
特定の前記指向特性パターンを用いて前記第１の電波伝搬環境パラメータを測定し、前記記憶部に記憶されている前記複数の閾値のうち、測定した前記第１の電波伝搬環境パラメータに対応する閾値を特定する閾値特定部と、
前記複数の指向特性パターンを順次切り替えて通信を試行し、試行した指向特性パターンにおける前記第１の電波伝搬環境パラメータと異なる第２の電波伝搬環境パラメータを測定し、前記第２の電波伝搬環境パラメータの測定値から算出される現実のスループットが前記閾値を上回る前記指向特性パターンを選択し、選択された前記指向特性パターンで前記アンテナに無線通信を行わせる指向特性パターン選択部と、
前記指向特性パターン選択部によって試行された前記指向特性パターンの数である試行回数に応じて、前記閾値特定部によって特定された前記閾値を変更する閾値調整部とを含む
集積回路。